(57)【要約】      （修正有）【課題】変形した釣り針を有するルアーを投棄せずに修理することによって環境汚染や資源浪費の問題を解決し、修理過程で複雑な手作業及び負傷危険が生じることなく、短時間内にルアーフックを修理できるルアーフック修理装置を提供する。【解決手段】開口部２１を介して入ってくる放射状に配列された複数の釣り針が深さ方向に挿入されるとき、複数の釣り針のうち外側に変形した釣り針が中心軸に向かって復元されるように、中心軸に対して垂直な内面部２２の断面の直径が深さ方向に漸次減少する内面部を含むボディー３０を含んでルアーフック修理装置を構成する。【選択図】図１
0003225760.tif 000002
【実用新案登録請求の範囲】
【請求項１】
開口部を介して入ってくる放射状に配列された複数の釣り針が深さ方向に挿入されるとき、前記複数の釣り針のうち外側に変形した釣り針が中心軸に向かって復元されるように、中心軸に対して垂直な内面部の断面の直径が前記深さ方向に漸次減少する前記内面部を含むボディーを含むルアーフック修理装置。
【請求項２】
前記内面部の断面の形状が円形である、請求項１に記載のルアーフック修理装置。
【請求項３】
前記内面部は、線形傾斜面、曲面傾斜面又はこれらの組み合わせを含む、請求項１に記載のルアーフック修理装置。
【請求項４】
ボディー（３０）の外面部にユーザーの把持部が提供される、請求項１に記載のルアーフック修理装置。
【請求項５】
ボディー（３０）の底部に提供され、拡張表面を有する支持台をさらに含む、請求項１に記載のルアーフック修理装置。
【請求項６】
前記支持台は、ねじ締結、凹凸継ぎ目締結及びブロック組立式のうち一つの方式を用いて着脱可能な支持台である、請求項５に記載のルアーフック修理装置。
【請求項７】
前記支持台は、合成樹脂、ゴム、金属又はこれらの組み合わせを含む、請求項５に記載のルアーフック修理装置。
【請求項８】
前記支持台には、ストラップ又はリングを挿入するための貫通口が提供される、請求項５に記載のルアーフック修理装置。
【請求項９】
ボディー（３０）は、強化プラスチック、合成樹脂、金属又はこれらの組み合わせを含む、請求項１に記載のルアーフック修理装置。
【請求項１０】
ボディー（３０）は合成樹脂を含み、前記内面部は金属強化部を含む、請求項９に記載のルアーフック修理装置。
【請求項１１】
前記金属強化部は、前記内面部にコーティングされた金属層、又は前記内面部に挿入される金属ライナー構造を含む、請求項１０に記載のルアーフック修理装置。
【請求項１２】
互いに結合されて配列された複数のボディーを含み、
前記複数のボディーは、開口部を介して入ってくる放射状に配列された前記複数の釣り針が深さ方向に移動するとき、前記複数の釣り針のうち外側に変形した針が前記中心軸に向かって復元されるように、中心軸に対して垂直な前記内面部の断面の直径が前記深さ方向に漸次減少する前記内面部を含み、
前記複数のボディーは、前記開口部の内部直径、前記内面部の前記深さ方向による内部直径、内部直径の変化率及び深さのうち少なくとも一つが互いに異なるルアーフック修理装置。
【請求項１３】
前記複数のボディーは、一字型配列、円形配列、稠密構造（ｃｌｏｓｅ  ｐａｃｋｉｎｇ）配列又はこれらが組み合わされた配列で結合された、請求項１２に記載のルアーフック修理装置。
【考案の詳細な説明】
【技術分野】
【０００１】
本考案は、釣り道具に関し、より詳細には、ルアーフック修理装置に関する。
【背景技術】
【０００２】
近来、釣りは、忙しく生きていく現代人に余裕を感じさせるレポーツであって、その市場が大きく成長している。特に、ルアーフィッシングは、多様な形状及び模様を有する疑似餌を釣り糸の端部にぶら下げ、対象魚を誘惑する釣り方法であって、生き餌釣りと共に大衆化されている。
【０００３】
通常、ルアーと呼ばれる疑似餌の端部にはフックが取り付けられている。一般に、前記疑似餌は、釣りの成功確率を高めるために複数の釣り針を含む針群を有する場合がある。前記複数の釣り針を有するルアーの一種としては、前記各釣り針がルアーの中心軸を基準にして放射状に配列される餌木（頭足類釣り用ルアーを称する）がある。前記餌木は、複数のＪ字状を有する釣り針が前記餌木の胴体側に丸く曲がった形状を有する。前記餌木に対象魚であるツクミ、イイダコ、イカ及びタコなどの頭足類が接近した場合、これらの対象魚は、前記各釣り針の構造上、一度釣り針に引っ掛かると外れにくくなる。また、釣りの最中に前記餌木が川底や海底の砂利及び暗礁などの障害物に引っ掛かる場合、前記餌木を回収するために釣り糸を強く引っ張ったり、餌木を複数回使用すると、前記各釣り針が本来の形状から餌木の胴体の外側に広がったり、延長方向が狂う変形が生じてしまう。このように前記餌木の釣り針が変形すると、対象魚が引っ掛からなかったり、対象魚をつかむ力が弱くなるので釣りに失敗することになる。前記餌木の釣り針が使用中に変形する場合、前記餌木を捨てることが一般的である。前記餌木が高価なものである場合は、ユーザーが、変形した釣り針をピンチャー（ｐｉｎｃｈｅｒ）などの尖った端部を有するはさみ道具を用いて一々曲げながら直接元の形状に復元させる修理をすることもある。
【０００４】
変形した釣り針を有する餌木を捨てる場合、不要な環境汚染や資源浪費の問題をもたらし得る。また、釣り針を修理して使用する方式によると、ユーザーの熟練度によって針群の針間の角度及び間隔が最初と変わるので、元の機能を回復できないだけでなく、修理に要する時間も長くなる。また、鋭いと共に、金属性のため堅固な釣り針の場合は、ユーザーが修理する間に負傷を負う危険が常に存在するという問題があった。
【考案の概要】
【考案が解決しようとする課題】
【０００５】
本考案が解決しようとする課題は、変形した釣り針を有するルアーを投棄せずに修理することによって環境汚染や資源浪費の問題を解決し、修理過程で複雑な手作業及び負傷の危険が生じることなく、短時間内にルアーフックを修理できるルアーフック修理装置を提供することにある。
【課題を解決するための手段】
【０００６】
前記課題を解決するための本考案の一実施例に係るルアーフック修理装置は、開口部を介して入ってくる複数の釣り針が前記ルアーフック修理装置の内面部の深さ方向に挿入されるとき、前記複数の釣り針のうち外側に変形した針が中心軸に向かって復元されるように、内面部の中心軸に対して垂直な断面の直径が前記深さ方向に漸次減少する内面部を有するボディーを含み得る。
【０００７】
前記内面部は、中心軸に対して垂直な円形断面を有し得る。前記内面部が有する複数の円形断面のそれぞれの中心は、内面部の中心軸に該当する直線に含まれる。
【０００８】
前記内面部は、線形傾斜面、曲面傾斜面又はこれらの組み合わせを含み得る。
【０００９】
前記ボディーの外面部にはユーザーの把持部が提供され得る。
【００１０】
前記ボディーは、強化プラスチック、合成樹脂、金属又はこれらの組み合わせを含み得る。前記ボディーが合成樹脂又は強化プラスチックを含む場合、前記内面部は金属強化部を含み得る。前記金属強化部は、前記内面部にコーティングされた金属層、又は前記内面部に挿入される金属ライナー構造で提供され得る。
【００１１】
前記ルアーフック修理装置は、前記ボディーの底部に提供され、拡張表面を有する支持台をさらに含み得る。前記支持台は、ねじ締結、凹凸継ぎ目締結及びブロック組立式のうち一つの方式を用いて着脱可能である。前記支持台は、合成樹脂、ゴム、金属又はこれらの組み合わせを含み得る。前記支持台には、ストラップ又はリングを挿入するための貫通口が提供され得る。
【００１２】
前記ルアーフック修理装置は、互いに結合されて配列された複数の前記ボディーを含み得る。開口部を介して入ってくる複数の前記釣り針が深さ方向に移動するとき、複数の前記釣り針のうち外側に変形した前記釣り針が前記中心軸に向かって復元されるように、前記中心軸に対して垂直な前記断面の直径が前記深さ方向に漸次減少する前記内面部を含む。前記複数のボディーは、前記開口部の内部直径、前記内面部の前記深さ方向による内部直径、内部直径の変化率及び深さのうち少なくとも一つが互いに異なり得る。
【００１３】
前記ルアーフック修理装置は、前記複数のボディーが一字型配列、円形配列、稠密構造（ｃｌｏｓｅ  ｐａｃｋｉｎｇ）配列又はこれらの組み合わせの配列で結合されて提供され得る。
【考案の効果】
【００１４】
本考案の実施例によると、開口部を介して水平断面の内部直径が深さ方向に行くほど漸次小さくなる内面部にルアーの針群を挿入する方法により、前記針群の形状を短時間内に容易に復旧できるルアーフック修理装置を提供することができる。
【００１５】
また、ルアーの針群が挿入される前記内面部と装置の形状を現わす外面部とが分離されることによって、本考案を使用すると、ユーザーが鋭く且つ堅固な針群から身体の一部に負傷を負う危険を減少させ、ユーザーの安全を図ることができる。
【００１６】
また、ルアーを投棄せずに修理することによって、ルアーの再使用期間を画期的に増加させ、ルアーの生産に必要なエネルギー及び原資材の需要を減少させ、その結果、環境汚染又は資源浪費の問題を解決することができる。
【図面の簡単な説明】
【００１７】
【図１】本考案の一実施例に係るルアーフック修理装置の斜視図である。
【図２】本考案の一実施例に係るルアーフック修理装置の断面図である。
【図３】本考案の他の実施例に係るルアーフック修理装置の斜視図である。
【図４ａ】図１に示したルアーフック修理装置の使用実施例を説明するための図である。
【図４ｂ】図１に示したルアーフック修理装置の使用実施例を説明するための図である。
【図４ｃ】図１に示したルアーフック修理装置の使用実施例を説明するための図である。
【考案を実施するための形態】
【００１８】
以下、添付の図面を参照して、本考案の好適な実施例を詳細に説明する。
【００１９】
本考案の各実施例は、当該技術分野で通常の知識を有する者に本考案をさらに完全に説明するために提供されるものであって、下記の実施例は、様々な異なる形態に変形可能であり、本考案の範囲が下記の実施例に限定されることはない。むしろ、これらの実施例は、本開示をさらに充実且つ完全にし、当業者に本考案の思想を完全に伝達するために提供されるものである。
【００２０】
また、図面において、各層の厚さや大きさは、説明の便宜及び明確性のために誇張したものであって、図面上、同一の符号は同一の要素を称する。本明細書で使用した「及び／又は」という用語は、該当の列挙した項目のうちいずれか一つ及び一つ以上の全ての組み合わせを含む。
【００２１】
本明細書で使用した用語は、特定の実施例を説明するためのものであって、本考案を制限するためのものではない。本明細書で使用した単数の形態は、文脈上、他の場合を明確に指摘するものでない限り、複数の形態も含み得る。また、本明細書で使用した「含む（ｃｏｍｐｒｉｓｅ）」及び／又は「含む（ｃｏｍｐｒｉｓｉｎｇ）」は、言及した各形状、数字、段階、動作、部材、要素及び／又はこれらのグループの存在を特定するものであって、一つ以上の他の形状、数字、動作、部材、要素及び／又は各グループの存在又は付加を排除するものではない。
【００２２】
以下、本考案の各実施例は、本考案の理想的な実施例を概略的に示す各図面を参照して説明する。各図面において、図面に示した各部材の大きさ及び形状は、説明の便宜及び明確性のために誇張する場合があり、実際に具現化するとき、図示した形状は変形可能である。
【００２３】
したがって、本考案の各実施例は、本明細書に示した部材又は領域の特定形状に制限されたものと解釈してはならない。
【００２４】
図１は、本考案の一実施例に係るルアーフック修理装置２０の斜視図である。
【００２５】
図１を参照すると、ルアーフック修理装置２０（以下、「修理装置」と称する）は、開口部２１及び内面部２２を有するボディー３０を含み得る。ボディー３０には、外側にユーザーが把持するための外面部２３が提供され得る。開口部２１は、釣り針の針群が外部から修理装置の内面部２２に挿入される通路の入出口である。
【００２６】
一実施例において、外面部２３は、開口部２１とつながって外部に現われる部分である。また、外面部２３には、ユーザーが手で掴んで使用できるように、例えば、親指、人差し指や中指などの少なくとも２以上の指を収容できる溝パターンを有する把持部が提供され得る。他の実施例において、把持部は、滑りを防止するために摩擦力が増強されるように模様が陰刻又は陽刻された表面、又は滑り防止パッドを含み得る。外面部２３の形状は、下面と上面が同一の形状である角柱形、下面と上面の形状が異なる柱頭の細い柱形、多面体形、又は、一部分の切削によって断面が現われた球形又は楕円球形であり得る。また、外面部２３の形状は、上面から下面に行くほど幅が減少するテーパー形状であってもよく、その反対の逆テーパー形状であってもよい。これらの列挙した各形状は例示的なものに過ぎなく、本考案がこれに限定されることはない。
【００２７】
ボディー３０は、強化プラスチック、合成樹脂、金属又はこれらの組み合わせを含み得る。一実施例において、ボディー３０が合成樹脂を含む場合、ルアーフックを頻繁に修理しながらルアーの針先に擦れることによって損傷し、寿命が短縮されることを防止するために、内面部２２は、ルアーフックが接触する表面の硬度を増強させる強化部を有し得る。前記強化部は金属を含むことができ、金属を用いて硬度を高める方式は、内面部２２に金属層をコーティングする方式、又はモールドで成形加工された金属ライナーを内面部に挿入する方式であり得る。
【００２８】
修理装置２０は、ボディー３０の他に、使用時に地面や岩などのユーザーの周囲の物を用いてボディー３０を支持するための手段として、外面部２３の底部に結合するように提供される支持台２４を含み得る。支持台２４は、外面部２３と分離不可能な一体型、又は修理装置に着脱可能な分離型であり得る。支持台２４が着脱可能な分離型である場合、支持台２４とボディー３０との間の結合方式は、ねじ締結方式、凹凸継ぎ目を用いた締結方式、又は、支持台とボディー３０とをぴったり噛み合わせ、表面間の摩擦力によって結合を維持させるブロック組立方式であり得る。支持台２４は、修理装置２０を支持できるように平らな底を有してもよく、滑り防止のために摩擦力を増強するように溝が刻まれた底面を有してもよい。一部の実施例において、支持台２４の面積は、ボディーの外面部２３の面積より大きくなり得る。
【００２９】
支持台２４は、ユーザー達が修理装置２０にストラップ又はリングを挿入して携帯できるように貫通口２５を含み得る。貫通口２５は、支持台２４のコーナー又は辺の一部に提供され得る。また、貫通口２５は、支持台２４の上面と下面を垂直形態、斜線形態、又は丸く曲がった形態で貫通し得る。支持台２４が厚い場合、ストラップやリングを容易に挿入できるように、図１に示したように、貫通口周辺部支持台２６の厚さが釣り用の他の部分の支持台の厚さより薄くなり得る。
【００３０】
図２は、本考案の一実施例に係る修理装置２０のボディー３０を示した断面図である。
【００３１】
図２を参照すると、ボディー３０の内面部２２は、ルアー１０の複数の釣り針で構成された針群１１が開口部を介して深さ方向に挿入されるとき、複数の釣り針のうちルアー１０の中心軸から外側に変形した針が前記中心軸に向かって復元されるように、前記内部断面の直径が前記深さ方向に漸次減少する。
【００３２】
内面部２２の中心断面は円形であり得る。前記中心断面が円形である場合、中心軸に対して垂直な前記円形断面の中心は、中心軸をなす直線に含まれる。前記中心断面が円形である内面部２２には、針群１１をなす各針１１’の長さ及び角度が元々同一である状態で放射状に配列された円形の針群１１が挿入されてもよく、各針１１’の長さ及び角度が元々同一でない状態で放射状に配列された楕円形又は多角形の針群１１が挿入されてもよい。このとき、ルアー１０の中心軸に対して垂直な針群１１の最大断面は、開口部２１の面積より小さくなければならない。楕円形又は多角形の針群１１の針１１’のうち前記最大断面の中心から最も遠い距離に位置する針１１’が変形した場合、内面部２２の側壁によって整形されるので復元可能である。また、内面部２２の前記円形は、円の中心からの距離が円をなす全ての点で一定しているので、ユーザーの立場では、挿入方向を考慮せずに修理装置２０を使用することができる。
【００３３】
内面部２２の側壁は、前記内部断面の直径の変化率が深さに対して一定している線形傾斜面、前記内部断面の直径の変化率が深さに対して変化する曲面傾斜面、又はこれらの組み合わせを含み得る。
【００３４】
図３は、本考案の他の実施例に係る修理装置２０＿１の斜視図である。
【００３５】
図３を参照すると、修理装置２０＿１は、互いに結合される複数のボディー３０＿１、３０＿２、３０＿３を含み得る。複数のボディー３０＿１、３０＿２、３０＿３は、水平断面の直径、長さに対する前記直径の変化率及び長さのうち少なくともいずれか一つが互いに異なる。互いに異なる複数のルアーの針群１１を修理できるように、３個のボディー３０＿１、３０＿２、３０＿３のそれぞれが開口部２１及び内面部２２を有する。
【００３６】
図示した実施例の他にも、水平断面の直径、長さによる前記直径の変化率及び長さのうち少なくともいずれか一つが互いに異なる複数の針群１１に対応して内部直径、深さ方向に対する内部直径の変化率及び深さのうち少なくともいずれか一つが互いに異なる複数のボディー３０を含む修理装置２０が存在し得る。したがって、修理装置２０は、互いに異なる内部形状を有する２個のボディー３０を一列に結合してもよく、３個以上のボディー３０を一列に配列したり、円形に配列したり、多角形に配列したり、可能な限りボディー３０間の空間を最小化する稠密構造（ｃｌｏｓｅ  ｐａｃｋｉｎｇ）で配列したり、又はこれらの組み合わせによって配列してもよい。２個以上のボディー３０の結合方式は、結合後に分離不可能な一体型であってもよく、移動しやすいように各ボディー３０が分離可能な着脱型であってもよい。
【００３７】
前記のような着脱型で結合された複数のボディー３０を結合する方式は、ねじ締結方式、凹凸継ぎ目締結方式、又は、支持台の内部にボディーをぴったり噛み合わせ、摩擦力で結合を維持するブロック組立方式であり得る。
【００３８】
支持台２４、貫通口２５、又は貫通口周辺部支持台２６は、構造が矛盾しない限り、互いに異なる複数のボディー３０を含む修理装置２０にも適用可能である。
【００３９】
図４ａ〜図４ｃは、図１に示したルアーフック修理装置２０の使用実施例を説明するための図である。
【００４０】
図４ａを参照すると、変形した針１１’＿２を含む針群１１を修理装置２０の内部に挿入することができる。挿入時には、針群１１を修理装置に面する方向に位置させた後、ルアー１０は、修理装置２０の開口部の中心と底の中心とをつなぐ中心軸に沿って底方向であるｋ方向に力を与えながら修理装置の内面部２２に押し入れることができる。
【００４１】
ルアー１０は、対象魚をつかむ針群１１及び／又は対象魚を誘惑する釣り餌１２を含み得る。ルアー１０の釣り餌１２は、円柱、球などの単純な立体図形の他にも、対象魚の餌の外形を模写した魚又はゴカイなどの多様な餌の形状を有し得る。針群１１の針１１’は、図３ａに示した形状である円形の配列を含むことができ、図３ａに示した形態である２層構造の他にも、１層構造又は３層以上の構造で配置され得る。
【００４２】
一実施例によると、釣り餌１２の端部に結合された針群１１は放射状に配列されており、流通する当時に、円形である針群１１の針１１’はいずれも一定の曲率及び角度を有する。針群１１の針１１’のうち一部が水面の下底、岩などの障害物に引っ掛かった場合、釣り糸を引っ張ることによって外力を受け、方向が狂ったり、ルアー１０の中心軸の外側に曲がる変形が生じるようになる。このとき、外力によって方向が狂ったり緩やかに曲がった針群１１の針１１’＿２先をつなぐ円形の直径は、変形前の針群１１の針１１’＿１先をつなぐ円形の直径より大きい。
【００４３】
図４ｂは、変形した針１１’＿２が、変形していない針１１’＿１と同じ曲率及び角度を有するまで修理装置２０の内面部２２の側壁に沿って挿入され、針群１１が元の形状に復旧された状態のルアー１０及び修理装置２０を示した図である。
【００４４】
針群１１の針１１’のうち変形していない針１１’＿１の元の長さ及び曲率によって定められる、針群１１の各針１１’＿１先をつなぐ円形の直径は、修理装置２０の開口部２１の内部直径より小さい。そして、針群１１の底が内面部２２の底に対して水平である場合、針群１１の針１１’＿１先をつなぐ円形の直径は、針１１’＿１先と同じ高さで内面部２２の水平断面の内部直径と一致する。したがって、ルアー１０の端部は、針群の針１１’が外力によって変形していない場合、開口部２１を経て内面部２２の底まで抵抗なく到逹し得る。
【００４５】
その一方で、岩などに引っ掛かり、外力によって外側に曲がった針１１’＿２を有する針群１１の各針１１’＿２先をつなぐ円形の直径は、針群１１の底が内面部２２の底に対して水平である場合、針１１’＿２先と同じ高さでの内面部２２の円形水平断面の面積より大きい。したがって、ユーザーがｋ方向に加える力などの外力によって押し入れたときに、ルアー１０の端部が底まで到逹し得る。前記のような方式で力を入れ、針群１１の底が内面部２２の底に到逹するようになると、方向が狂ったりルアー１０の中心軸から外側に広がった針群１１の針１１’＿２は、内面部２２の側壁の表面から反作用を受けて整形される。
【００４６】
図４ｃは、修理後のルアー１０＿３及び修理装置２０を示した図である。修理後、針群１１＿３の針１１’＿３はｋ’方向に移動することができ、円形の角度どおり復元された針を含む針群１１＿３を有するルアー１０＿３と修理装置２０とに分離される。
【００４７】
以上で説明した本考案は、上述した実施例及び添付の図面に限定されるものではなく、本考案の技術的思想を逸脱しない範囲内で様々な置換、変形及び変更が可能であることは、本考案の属する技術分野で通常の知識を有する者にとって明白であろう。
【符号の説明】
【００４８】
１０    ルアー
１０＿３    修理後のルアー
１１    ルアーの針群
１１＿３    修理後の針群
１１’    針群の針
１１’＿１    変形していない針
１１’＿２    変形した針
１１’＿３    修理後の変形が復元された針
１２    釣り餌
２０    ルアーフック修理装置
２０＿１    複数のボディーが結合された修理装置
２１    ルアーフック修理装置の開口部
２２    ルアーフック修理装置の内面部
２３    ルアーフック修理装置の外面部
２４    支持台
２５    支持台の貫通口
２６    貫通口周辺部支持台
３０    修理装置のボディー
３０＿１、３０＿２、３０＿３    修理装置２０＿１に含まれる複数のボディー
【図１】
0003225760.tif 000003
【図２】
0003225760.tif 000004
【図３】
0003225760.tif 000005
【図４ａ】
0003225760.tif 000006
【図４ｂ】
0003225760.tif 000007
【図４ｃ】
0003225760.tif 000008
【手続補正書】
【提出日】令和2年1月28日(2020.1.28)
【手続補正１】
【補正対象書類名】実用新案登録請求の範囲
【補正対象項目名】全文
【補正方法】変更
【補正の内容】
【実用新案登録請求の範囲】
【請求項１】
開口部を介して入ってくる放射状に配列された複数の釣り針が深さ方向に挿入されるとき、前記複数の釣り針のうち外側に変形した釣り針が中心軸に向かって復元されるように、中心軸に対して垂直な内面部の断面の直径が前記深さ方向に漸次減少する前記内面部を含むボディーを含むルアーフック修理装置。
【請求項２】
前記内面部の断面の形状が円形である、請求項１に記載のルアーフック修理装置。
【請求項３】
前記内面部は、線形傾斜面、曲面傾斜面又はこれらの組み合わせを含む、請求項１に記載のルアーフック修理装置。
【請求項４】
ボディー（３０）の外面部にユーザーの把持部が提供される、請求項１に記載のルアーフック修理装置。
【請求項５】
ボディー（３０）の底部に提供され、拡張表面を有する支持台をさらに含む、請求項１に記載のルアーフック修理装置。
【請求項６】
前記支持台は、ねじ締結、凹凸継ぎ目締結及びブロック組立式のうち一つの方式を用いて着脱可能な支持台である、請求項５に記載のルアーフック修理装置。
【請求項７】
前記支持台は、合成樹脂、ゴム、金属又はこれらの組み合わせを含む、請求項５に記載のルアーフック修理装置。
【請求項８】
前記支持台には、ストラップ又はリングを挿入するための貫通口が提供される、請求項５に記載のルアーフック修理装置。
【請求項９】
ボディー（３０）は、強化プラスチック、合成樹脂、金属又はこれらの組み合わせを含む、請求項１に記載のルアーフック修理装置。
【請求項１０】
ボディー（３０）は合成樹脂を含み、前記内面部は金属強化部を含む、請求項９に記載のルアーフック修理装置。
【請求項１１】
前記金属強化部は、前記内面部にコーティングされた金属層、又は前記内面部に挿入される金属ライナー構造を含む、請求項１０に記載のルアーフック修理装置。
【請求項１２】
配列された複数のボディーを含み、
前記複数のボディーはそれぞれ、開口部を介して入ってくる放射状に配列された複数の釣り針が深さ方向に移動するとき、前記複数の釣り針のうち外側に変形した針が中心軸に向かって復元されるように、前記中心軸に対して垂直な内面部の断面の直径が前記深さ方向に漸次減少する前記内面部を含み、
前記複数のボディーは、前記開口部の内部直径、前記内面部の前記深さ方向による内部直径、内部直径の変化率及び深さのうち少なくとも一つが互いに異なるルアーフック修理装置。
【請求項１３】
前記複数のボディーは、一字型配列、円形配列、稠密構造（ｃｌｏｓｅ  ｐａｃｋｉｎｇ）配列又はこれらが組み合わされた配列で結合された、請求項１２に記載のルアーフック修理装置。